(57)【要約】【課題】測定した肌情報を反映させて楽しむことができるようにする。【解決手段】ユーザの肌の状態を測定する肌測定装置１８，１９，２０と、肌の状態に関するデータを記憶したメモリ装置２５と、該メモリ装置２５の記憶データを読み出し、肌測定装置１８，１９，２０による肌状態の測定結果に応じて仮想生命体を制御処理する制御装置と、該制御装置により制御処理された仮想生命体を表示する表示装置１３と、他の端末装置と直接的にまたは回線を通じて間接的に通信を行う通信装置２７と、ユーザの入力装置と１２、を備えるものである。肌測定機能付き端末装置における制御装置は、例えば入力装置からの入力に応じて仮想生命体を変化させる処理をする。【選択図】図１
2009078070.tif 000002
【特許請求の範囲】
【請求項１】
ユーザの肌の状態を測定する肌測定装置と、
前記肌の状態に関するデータを記憶したメモリ装置と、
該メモリ装置の記憶データを読み出し、前記肌測定装置による肌状態の測定結果に応じて仮想生命体を制御処理する制御装置と、
該制御装置により制御処理された前記仮想生命体を表示する表示装置と、
他の端末装置と直接的にまたは回線を通じて間接的に通信を行う通信装置と、
ユーザの入力装置と、
を備えることを特徴とする肌測定機能付き端末装置。
【請求項２】
前記制御装置は、前記入力装置からの入力に応じて前記仮想生命体を変化させる処理をする請求項１に記載の肌測定機能付き端末装置。
【請求項３】
前記肌測定装置による肌状態の測定結果に応じたアドバイスを出力するアドバイス機能を備える請求項１または２に記載の肌測定機能付き端末装置。
【請求項４】
前記アドバイスは、肌年齢、生活習慣、トラブル、化粧のいずれかに関するものである請求項３に記載の肌測定機能付き端末装置。
【請求項５】
前記肌測定装置による肌状態の測定結果を記憶し、ユーザからの入力に応じて出力する請求項１から４のいずれか一項に記載の肌測定機能付き端末装置。
【請求項６】
ユーザの体温を計測可能な体温計を備える請求項１から５のいずれか一項に記載の肌測定機能付き端末装置。
【請求項７】
ユーザの体脂肪率を計測可能な体脂肪計を備える請求項１から５のいずれか一項に記載の肌測定機能付き端末装置。
【請求項８】
ゲーム機能を備える請求項１から５のいずれか一項に記載の肌測定機能付き端末装置。
【請求項９】
撮像装置をさらに備える請求項１から８のいずれか一項に記載の肌測定機能付き端末装置。
【発明の詳細な説明】
【技術分野】
【０００１】
本発明は、肌測定機能付き端末装置に関する。さらに詳述すると、本発明は、肌測定機能付き端末装置における制御の改良に関する。
【背景技術】
【０００２】
従来、仮想生命体のトレーニングや育成を行うゲーム機等の端末装置が利用されている（例えば特許文献１参照）。
【特許文献１】特開平１０−２３２５９５号公報
【発明の開示】
【発明が解決しようとする課題】
【０００３】
しかしながら、従来の端末装置において、身体の状態に関する情報例えば肌状態に関する情報を反映させて楽しむことができるような装置はなかった。すなわち、
（１）これまでの肌測定器は家庭用のものが多く、また、カウンセリングなどで測定データを経時的に（例えば毎日）測定することもあまり一般的でないため、個人で肌を自己診断することはできなかった。また、測定したデータだけでは一般の人にとって面白味に欠けるため経時的データとして変化をみるまで興味を惹かれなかった。
（２）従来であれば、美容のアドバイスは化粧品カウンターや電話、インターネットでの情報やり取りで受けたり評価してもらったりしていたが、自分の肌状態を経時的に自分で評価し、改善していくことが難しかった。
（３）上記のアドバイスでは人間どうしのコミュニケーションが必要であり、アドバイスする人、アドバイスしてもらう人の受け取り方、アドバイスを受けた時系列で状況が変化しやすく、労力を有していた。また、生活の中で、自分の肌状態を客観的に評価する機会はないため、手軽に自分の肌状態等が変化していることを知ることも、現在使用している化粧料で自分の肌が変化していることを客観的に簡易に評価することはできなかった。
（４）自分の肌状態を他人に知ってもらう簡易的指標となるものはこれまでになかった。肌をコミュニケーションのツールとして使った事例はこれまでなかった。
【０００４】
そこで、本発明は、測定した肌情報を反映させて楽しむことができる肌測定機能付き端末装置を提供することを目的とする。
【課題を解決するための手段】
【０００５】
かかる課題を解決するべく本発明者は種々の検討をし、新たな知見を得るに至った。本発明の肌測定機能付き端末装置はかかる知見に基づくもので、ユーザの肌の状態を測定する肌測定装置と、肌の状態に関するデータを記憶したメモリ装置と、該メモリ装置の記憶データを読み出し、肌測定装置による肌状態の測定結果に応じて仮想生命体を制御処理する制御装置と、該制御装置により制御処理された仮想生命体を表示する表示装置と、他の端末装置と直接的にまたは回線を通じて間接的に通信を行う通信装置と、ユーザの入力装置と、を備えるものである。肌測定機能付き端末装置における制御装置は、例えば入力装置からの入力に応じて仮想生命体を変化させる処理をする。
【０００６】
上述したように、自己（例えばユーザ自身）の肌状態を他人に知ってもらう簡易的指標となるものはこれまでなかった。本発明にかかる肌測定機能付き端末装置によれば、ユーザ等の肌状態を測定し、尚かつ測定結果を仮想生命体の成長や動作などによって楽しみながら確認することができる。しかも、この肌測定機能付き端末装置は他の端末装置と通信を行うことができるから肌状態を媒介にしたコミュニケーションツールとして機能しうる。つまり、肌をコミュニケーションのツールとして使い、育てた仮想生命体どうしでデータ通信した間に新たに発生するイベント、友達登録により仮想生命体が異なる変化をするため、より多くの人とコミュニケーションをとるメリットが生まれる。また、例えば仮想生命体からの呼びかけや要求に対して遊戯者が応答して対応する処置を行うことにより、当該仮想生命体を躾け、あるいはトレーニングをしながら仮想生命体を成長させるようにした育成シミュレーションを実施することも可能である。
【０００７】
また、肌測定機能付き端末装置は、肌測定装置による肌状態の測定結果に応じたアドバイスを出力するアドバイス機能を備えることが好ましい。この場合、アドバイスは、例えば肌年齢、生活習慣、トラブル、化粧のいずれかに関するものである。これによれば、測定結果に応じてユーザ等が留意すべき生活習慣やトラブル対策、皮膚科学的なアドバイスなどが表示され、遊びながら美容習慣、化粧品や皮膚科学的知識を身に付けられる。
【０００８】
さらに、肌測定機能付き端末装置は、肌測定装置による肌状態の測定結果を記憶し、ユーザからの入力に応じて出力することが好ましい。また、肌測定機能付き端末装置は、ユーザの体温を計測可能な体温計を備えていてもよいし、ユーザの体脂肪率を計測可能な体脂肪計を備えていてもよい。さらには撮像装置を備えていることも好ましい。
【０００９】
肌測定機能付き端末装置は、ゲーム機能を備えていることが好ましい。例えば簡易的な肌測定器をゲーム機に搭載することで、ゲームの延長のような感覚（いわばゲーム感覚）で家庭等にて気軽に肌測定ができるようになり、肌状態の自己診断が容易になる。また、測定したデータによりゲーム性が生まれることから、測定し続けることに面白味が得られるようになる。
【発明の効果】
【００１０】
本発明によれば、測定したユーザ等の肌情報を装置に反映させて楽しむことができる。
【発明を実施するための最良の形態】
【００１１】
以下、本発明の構成を図面に示す実施の形態の一例に基づいて詳細に説明する。
【００１２】
図１〜図１１に本発明にかかる肌測定機能付き端末装置の実施形態を、該端末装置を含むシステムとともに示す。
【００１３】
図３は、肌診断や化粧に関するアドバイスを提供するためのシステム１０の概略構成図である。システム１０は、インターネットＮを通じて互いに通信可能に接続された携帯端末装置としての肌測定機能付き端末装置（化粧モバイル装置）１と管理サーバ（以下、単にサーバという）５０とを備えている。本システム１０では、ユーザ（被評価者）が肌診断評価や化粧アドバイスを受ける際に必要な例えば顔画像等の所定データを肌測定機能付き端末装置１を用いて入力し、そのデータをインターネットＮを通じてサーバ５０に送信することができるようになっている。サーバ５０は、ユーザ側から送られたデータを用いてユーザの肌状態や化粧状態を評価し、その評価結果をユーザの肌測定機能付き端末装置１に送信することによって、評価結果として肌診断評価や化粧アドバイスなどを肌測定機能付き端末装置１に表示させる。
【００１４】
サーバ５０は、種々の制御プログラムを実行したり所定の演算処理を実行するためのサーバ本体５１とデータベース５２とを備えている。データベース５２には、肌診断評価や化粧アドバイスの評価処理を行うときの基準となるデータ、肌診断評価や化粧アドバイスを依頼するときにユーザから送られる各種データ、ユーザからの各種データを基にしてサーバ本体５１により算出された肌診断評価や化粧アドバイス等が格納される。
【００１５】
また、システム１０は、肌測定機能付き端末装置１、サーバ５０の他、インターネットＮを通じて互いに通信可能に接続されたコンピュータ等の端末装置６０を備えていてもよい（図３参照）。この端末装置６０は例えば化粧品会社、ファッション系の会社、美容整形外科、ヘアーサロン等、化粧や美容、健康に関する機関等にて利用されうる。この場合、サーバ５０を用い、予め契約登録を済ましている各機関に対してデータベース５２に登録された各データのうちの要望情報を配信することも好ましい。これによれば、各機関は潜在的な顧客を開拓することが可能で、しかも新たな商品開発にも役立たせることが可能になる。
【００１６】
図１は、肌測定機能付き端末装置１の一実施形態を示す斜視図である。肌測定機能付き端末装置１は携帯ゲーム端末あるいは化粧品コンパクトのような外形形状をとっており、装置本体としてのモバイル本体１１に、入力手段としての入力キー１２と、表示手段としてのディスプレイ１３を備えている。また、肌測定機能付き端末装置１はペン２６をディスプレイ１３に当接させることで操作できるペンタッチ機能を備え、このペン２６はモバイル本体１１の側部に設けられた収納部１５に収容される。
【００１７】
モバイル本体１１にはディスプレイ１３の上方には、前後方向に回転可能なＣＣＤカメラ１６が設置されている。ＣＣＤカメラ１６はユーザ（被写体）の動画や静止画を撮影するために使用され、このＣＣＤカメラ１６により撮影される映像や写真はディスプレイ１３上に表示可能となっている。ＣＣＤカメラ１６としては、無線方式でデータを送信できるものを採用してもよい。モバイル本体１１の例えばディスプレイ１３の上方には温度測定手段としての赤外線カメラ（図示省略）が設置されていてもよい。この赤外線カメラはユーザの皮膚（肌）の温度分布を測定するために使用される。さらに、モバイル本体１１が体脂肪検出器を備えていることも好ましい。本実施形態のモバイル本体１１は、ディスプレイ１３の両側に配置された体脂肪センサ１７を備えている（図１参照）。ユーザは、両手の親指を左右の体脂肪センサ１７に接触させることによって体脂肪を測定することができる。
【００１８】
またモバイル本体１１には、弾力測定手段としての圧力センサ１８、ＰＨ値測定手段としてのＰＨ測定器１９、保湿力測定手段としての保湿力センサ２０がケーブルを介してそれぞれ接続され、これら各測定機器１８〜２０は先端に位置する検知部を肌に当てることによって測定値が検出可能となっている。各測定機器１８〜２０のうち、圧力センサ１８により肌の弾力が測定され、ＰＨ測定器１９により肌のＰＨ値が測定され、保湿力センサ２０により肌の保湿力（保湿分）が測定される。これら測定機器１８〜２０はモバイル本体１１に形成された収容部１８ａ，１９ａ，２０ａにそれぞれ収容される。
【００１９】
さらに、肌測定機能付き端末装置１において外部メモリが利用可能であることも好ましい。例えば本実施形態のモバイル本体１１は外部メモリ２５を挿入可能なスロット１４を備えており、当該外部メモリ２５にデータを保存しておくことが可能となっている。また、モバイル本体１１の例えば手前側端部には、ＬＥＤやセンサ等からなる赤外線通信装置（符号２７で示している）が内蔵されている。
【００２０】
図２は、肌測定機能付き端末装置１の概略構成図である。肌測定機能付き端末装置１はモバイル本体１１に例えばＣＰＵによって構成される制御装置２１を備えている。この制御装置２１はＣＣＤカメラ１６、赤外線カメラ（図示省略）、圧力センサ１８、ＰＨ測定器１９、保湿力センサ２０と接続されている。制御装置２１はＣＣＤカメラ１６から入力する画像情報としての画像データを基にして、ディスプレイ１３に映像や写真を表示させる。この画像データは、動画として撮影を行ったときは三次元データで入力される。また肌測定機能付き端末装置１は制御装置２１の他に、アンテナ２２ａを有する送受信部２２を備え、制御装置２１は画像データとともに各測定機器１７〜２０から得られる温度分布データ、弾力データ、ＰＨ値データ、保湿分データを、アンテナ２２ａを介して無線通信によりインターネットＮを通じて管理サーバ５０に送信させる。なお、肌データは、例えば温度分布データ、弾力データ、ＰＨ値データ、保湿分データにより構成される。
【００２１】
また肌測定機能付き端末装置１自体がデータベース２３を備えていることが好ましい。データベース２３には、ＣＣＤカメラ１６やパソコン（図示省略）等を用いて取込んだユーザに関する画像データが登録される。この画像データには、ユーザの顔画像データ（動画、静止画）や、ユーザが気に入った風景写真、絵画、デザイン等の装飾画像データがある。この登録作業は、任意にデータの追加、修正、変更、削除等が可能となっており、これら画像データは、化粧メーク用、仕事用、スポーツ用、社交用、遊び用などの用途別に応じて登録しておくことも可能である。
【００２２】
またこれら画像データは、同じ画像であっても配色パターン（フルカラー、白黒、セピア色、白色蛍光灯、メロウ色、パール色など）や、明るさ（輝度、照度、自然色（朝、昼、夕方）、蛍光色光、紫外線光など）に応じて多種類登録しておくこともできる。そして、例えばユーザの顔画像の背景に、装飾アイテムとして風景写真の装飾画像を貼り付けることによって、ユーザが所望する顔画像を作成することもできる。さらに、これら画像データを基にして、名刺、自動車免許、パスポート、受験票等の各種証明写真（個人写真）を作成することもできる。
【００２３】
さらに、データベース２３には、ユーザが要望するサンプルデータが登録される。このサンプルデータには、ＣＣＤカメラ１６やパソコン等を用いて取込んだ女優や有名人などの画像データ（サンプル画像データ）や、流行中のファッションまたは化粧関連に関する文字データなどがある。このサンプルデータは、化粧アドバイスを受ける際の要望や手本として用いられる。またデータベース２３には、サーバ５０から送信された肌診断評価や化粧アドバイスが登録される。一方、肌測定機能付き端末装置１は演算手段としての演算部２４を備え、サーバ５０に代えてこの演算部２４によって肌診断評価や化粧アドバイスを行わせるようにしてもよい。
【００２４】
以下においては、表示の具体例を示しながら肌測定機能付きゲーム装置１の具体的な実施例を説明する。本実施形態の肌測定機能付きゲーム装置１によれば、例えば以下のような使い方が可能である。
（１）肌の状態のチェックを行う。
（２）肌測定データにより育つ仮想生命体Ｖのトレーニングを行い、仮想生命体Ｖの能力を高める。また、視覚的な変化を自分の肌状態から引き出せるため測定することを長続きさせる。
（３）赤外線等の通信を利用して自己の仮想生命体Ｖの情報を他人に送ることにより、当該他人から得た情報を受けて変化した仮想生命体Ｖを確認する。これにより新しい情報などを通信で得る。
（４）化粧品に関する知識や当該時点の肌に対するアドバイスを出力する。ユーザは、美容に関してその時点で必要な情報をリアルタイムで知ることができるため、肌について簡易的な対応を必要な時に受けることができる。
（５）肌の状態の記録、日記のように自分の一言を追加することで自己管理を行う。
【００２５】
なお、表示される仮想生命体Ｖは例えば女の子のキャラクタ等であるが、本明細書でいう仮想生命体Ｖにはこのような擬人化したキャラクタに限らず例えばいわゆる顔文字のような簡易化された図柄等までもが含まれる。要は、肌測定結果に応じて変化させることができ、尚かつユーザが視認して内容（測定結果）を把握しやすいものであればよい。
【００２６】
Ａ．肌水分（乾燥度）の測定結果
肌測定の結果、肌の乾燥度合いが一定値より下の結果となると、キャラクタＶの肌の「しわ」が増える。これにより、当該一定値を基準として測定結果が負（マイナス）の状態であることが表示される。一方、肌測定の結果、肌の乾燥度合いが一定値より上の結果となると、キャラクタＶの肌の「張り」が増える。これにより、当該一定値を基準として測定結果が正（プラス）の状態であることが表示される。肌の張りは例えば光沢によって表すことができる。
【００２７】
また、肌水分（乾燥度）の測定結果を表示するにあたり、上述のようにキャラクタＶの肌に表示するばかりでなくその他の部位、例えば当該キャラクタＶの髪型を変化させて表示してもよい。例えば、肌水分が一定値よりも正（プラス）の状態であるほどよりゴージャスとなるよう、一例として下記のように１０段階で髪型を変化させる。
１０．巻き髪アップ  ９．ウェーブのロング  ８．ストレートのロング  ７．ミクスチュアウェーブ  ６．ミディアム  ５．短髪  ４．パーマミディアム  ３．おかっぱ  ２．ボサボサ頭  １．アフロ
【００２８】
Ｂ．紫外線ダメージ測定の結果
紫外線による肌のダメージを測定する。例えば、紫外線によるダメージが大きい場合にはキャラクタＶの肌の「しみ」の値を増やし（マイナス）。逆にダメージが小さい場合には「しみ」の値を減らす（プラス）。あるいは、紫外線ダメージの測定結果を、キャラクタＶの肌以外の部位、例えば画面の背景ＢＧを変えてもよい。例示すれば、紫外線ダメージが少ない状態（良好な状態）であるほど華やかとなるように１０段階で背景ＢＧを変化させる。なお、紫外線ダメージの結果により値が増減する「しみ」とは、本実施形態の場合、ユーザの肌の紫外線ダメージを数値化して表したものである。つまり、実際にユーザの肌にしみができているというわけではなく、紫外線ダメージを分かりやすく表現するため、ユーザの「しみ」として得たデータをキャラクタに反映させているにすぎない。
１０．海と貝の柄  ９．リボン  ８．花柄  ７．蝶柄  ６．水玉  ５．ハートマーク  ４．星  ３．ストライプ  ２．チェック  １．どくろマーク
【００２９】
Ｃ．画像解析の結果
ユーザが自ら、あるいは他人の顔および肌の画像を取り込む。画像は、例えば本実施形態の肌測定機能付き端末装置１であれば、モバイル本体１１に設置されたＣＣＤカメラ１６で撮影することができる。肌の画像を利用し、例えば顔全体のコントラストから暗い部分を判断して「くすみ」を診断することができる。この場合、一定値より下の結果が続くと「ツヤ感」の値を増やす（マイナス）。一方、一定値より上の結果が続くと「くすみ」の値を増やす（プラス）。また、くすみ診断の結果によりキャラクタＶの表情を変えてもよい。例えば、くすみ診断の結果がプラス（段階が上がる）になるほど笑顔に、マイナスが続くと悲しい顔から怒りに変える。さらには、絵の変化に加えて顔文字ＦＭをともに表示してもよい。例えば、下記のように１０段階で変わる顔文字ＦＭで表情の変化を示すことができる。また、撮影を行っただけで服装がランダムで変わる。「撮影を行っただけで服装がランダムで変わる」とは、撮影したデータによって服装が変わるのではなく、撮影という行為を行ったことで服装が変わることを意味している。その服装については規則性がなく、どんな服装になるかは分からない。
１０．口を大きく上げて笑う（大喜び）＼(⌒0⌒)／  ９．歯を見せて笑う  (^3^)  ８．照れた笑顔  （＊^-^＊）  ７．ニコニコ  (^o^)    ６．口が上がる  (^-^)  ５．無表情  (-_-)  ４．口が下がる  (-.-)  ３．涙を流す   (>_<)    ２．大泣き  (ToT)    １．降参  (+_+)
【００３０】
なお、ＣＣＤカメラ１６は、上述のように肌の画像解析に利用するばかりでなく、化粧した顔や自分の姿、写真を撮りたいものなどを記録するためにも利用することができる。例えば、画像解析のときに撮った写真のほか、今日一日のこと、思ったことなどを一言日記のようにつける。ただ保存するだけでなく自己管理の役目としても使える。
【００３１】
ここで、画面の具体的変化例も挙げてさらに説明する（図４〜図１１参照）。
【００３２】
＜変化例１＞  肌水分測定と紫外線ダメージ測定だけを行った場合の変化
初期段階において、
「肌水分」          段階：５．短髪
「紫外線ダメージ」  段階：５．ハートマーク
であり、図４のようにキャラクタ（短髪）Ｖと背景（ハートマーク）ＢＧを表示する（図４参照）。
【００３３】
１回目測定後、
「肌水分」          段階：６．ミディアム
「紫外線ダメージ」  段階：４．星
であれば、図５のようにキャラクタ（中くらいの髪型）Ｖと背景（星）ＢＧを表示する（図５参照）。
【００３４】
また、２回目の測定後、
「肌水分」          段階：４．パーマミディアム
「紫外線ダメージ」  段階：６．水玉
であれば、図５のようにキャラクタ（パーマミディアム）Ｖと背景（水玉）ＢＧを表示する（図６参照）。
【００３５】
さらに３回目の測定後、
「肌水分」          段階：７．ミクスチュアウェーブ
「紫外線ダメージ」  段階：７．蝶柄
であれば、図７のようにキャラクタ（ミクスチュアウェーブ）Ｖと背景（蝶柄）ＢＧを表示する（図７参照）。
【００３６】
＜変化例２＞  肌水分測定と紫外線ダメージ測定、画像解析を行った場合の変化
初期段階において、
「肌水分」          段階：５．短髪
「紫外線ダメージ」  段階：５．ハートマーク
「画像解析結果」    段階：５．無表情
であれば、図８のようにキャラクタ（短髪）Ｖ、背景（ハートマーク）ＢＧ、顔文字（無表情）ＦＭを表示する（図８参照）。
【００３７】
１回目の測定後、
「肌水分」          段階：７．ミクスチュアウェーブ
「紫外線ダメージ」  段階：３．ストライプ
「画像解析結果」    段階：６．口が上がる
であれば、図９のようにキャラクタ（ミクスチュアウェーブ）Ｖ、背景（ハートマーク）ＢＧ、顔文字（口が上がる）ＦＭを表示する（図９参照）。
【００３８】
また、２回目の測定後、
「肌水分」          段階：７．ミクスチュアウェーブ
「紫外線ダメージ」  段階：２．チェック
「画像解析結果」    段階：４．口が下がる
であれば、図１０のようにキャラクタ（ミクスチュアウェーブ）Ｖ、背景（チェック）ＢＧ、顔文字（口が下がる）ＦＭを表示する（図１０参照）。
【００３９】
さらに３回目の測定後、
「肌水分」          段階：７．ミクスチュアウェーブ
「紫外線ダメージ」  段階：４．星
「画像解析結果」    段階：７．ニコニコ
であれば、図１１のようにキャラクタ（ミクスチュアウェーブ）Ｖ、背景（星）ＢＧ、顔文字（ニコニコ）ＦＭを表示する（図１１参照）。
【００４０】
また、下記に例示するように、表示される化粧品に関する知識や、現在の肌に対するアドバイスについてのメッセージを表示するようにしてもよい。例えば、前日のデータと比べてしみ（紫外線ダメージ）が増加している場合には「肌ダメージを受けています。外に出るときはサンクスリーンを使いましょう」というメッセージを表示し、その後、しみがさらに増加した場合には、「サンスクリーンのSPF値を確認しましょう。今のサンスクリーンのSPF値より高いものがいいのかもしれません」というメッセージを表示する。また、肌水分量が低下した場合には、「肌のうるおいが足りません。化粧水（スキンローション）、乳液を使いましょう」というメッセージを表示し、その後、肌水分量がさらに低下した場合には、「角質層に水分、保湿成分を補い、皮膚を柔軟にするために化粧水（モイスチュアローション）を使いましょう。乳液やクリームとなじみやすくなるでしょう」とういメッセージを表示する。
【００４１】
ここまで、肌水分、紫外線ダメージ、くすみ診断等の結果をキャラクタＶ等の変化によりユーザに示すようにした場合について説明したが、さらに、以下のような機能を追加することができる。
【００４２】
（１）ミニゲーム（脳年齢や英語、常識テスト、なぞなぞなど）
ゲーム機能が付いている。ただ遊ぶだけでなく、ゲームの結果を受けてキャラクタＶの顔のパーツバリエーションや新しい服、背景ＢＧをプレゼントされる。アイテムなど機能が増えるため、継続的にゲームを楽しんだり、毎日怠ることなく測定を続けたりすることができる。ゲームの結果により間違えた問題（英単語）などを一定時間背景ＢＧに写しだすなどして、復習機能が付く。学習することによる内面の美しさの向上を目指す。
【００４３】
（２）赤外線通信・インターネット通信
友達等と赤外線通信することで情報をやり取りしたり、美容数値の高い人と無線通信すると新しい服が追加されたりするメリットが発生する。また、インターネットに接続することで化粧品会社から提供される情報を入手し、常に新しい情報へと更新できる（化粧知識だけでなく、例えば新色発売情報なども含む）。なお、メモリカードなどに保存した写真やデータなどは別途コンピュータに保存できる。
【００４４】
（３）体温計
体温を測定できる。毎日の体温をつける習慣をつけることができる。
【００４５】
（４）体脂肪測定の結果
体脂肪率計によって体脂肪率を測定する。結果によってキャラクタＶの動きを変える。基本的にすべての動きをランダムで行い、結果に応じてのんびりした動きあるいは機敏な動きをする割合を変える。例えば、体脂肪率が一定値以上だとのんびりした動きを多くし、体脂肪率が一定値以下だと機敏な動きを多くする。機敏な動きとして、例えば腕立て伏せ、ジャンプ、走る、柔軟体操、手を振る、各種スポーツをする等の動きをさせてもよい。のんびりした動きとして、例えばお茶を飲む、お菓子を食べる、揺れる、歩く、本を読む等の動きをさせてもよい。なお、これら体温計や体脂肪計は、保湿力センサ２０と同様、端末装置１に接続されうる構成となっている。
【００４６】
以上、説明したように、本実施形態の肌測定機能付き端末装置１（あるいは該装置１を含むシステム１０）によれば、ゲーム機、または当該ゲーム機に接続することのできる肌測定が可能な機器を提供することができる。また、測定結果に応じて仮想生命体Ｖが成長ないしは変化することで、ユーザが自発的にスキンケア等に興味を持ち、持続して美意識向上を目指すことができる。さらに、測定結果に応じたアドバイスを受け、化粧についての知識を深めることができる。これにより、化粧品会社等の製造者・販売者側は、自社の製品についてユーザに知ってもらう機会が増える。
【００４７】
また、本実施形態の肌測定機能付き端末装置１において、仮想生命体Ｖは測定結果に応じて成長する（変化する）ばかりでなく、ユーザが行うミニゲームの結果を反映して変化を起こすこともある。見かけ上のユーザの変化がキャラクタの変化につながり、化粧品を使っているだけでは変化が分かりにくい美容した経験値を客観的に評価することができる。すなわち、ユーザが肌測定した結果は数字の羅列やグラフだけで見た場合は分かりにくいが、本実施形態の場合、ユーザが肌測定を行った結果を受けてキャラクタが変化する等するのでその効果が分かりやすい。また、これによれば、美容のために化粧水を使っている人たちが毎日使っている化粧品を別の化粧品に切り替えた場合や、逆に同じ化粧品を使い続けることでどういう変化が自分に起きているのかを判断することもできる。要は、肌測定機能付き端末装置１が、「この化粧品は本当に私にあっているのか」とか、「この化粧品は潤うような感じがする」というようにユーザ自身が漠然と感じていたことをキャラクタの変化等を通して評価結果として知らせてくれ、別の表現をすれば、キャラクタの変化等を介してユーザ自身の変化をわかり易く映してくれる鏡のように機能する。また、ゲームを行うことによりユーザの内面（学習したこと）、知識が増えた変化もキャラクタの変化としてみることができ、実感することができる。
【００４８】
さらに、友達や知り合い等、周囲と通信することで、変化のバリエーションが増え、友達との交流や美容への興味を高めることができ、「肌友達」といったような仲間を作ることができる。また、他人やキャラクタを介することで、鏡を見る以上に自分の外見的な美しさへの興味と管理・内面的な自分の成長を記録・実感することができる。
【００４９】
なお、上述の実施形態は本発明の好適な実施の一例ではあるがこれに限定されるものではなく本発明の要旨を逸脱しない範囲において種々変形実施可能である。例示すれば、機能をさらに増やすことによって業界同士のつながりを深めることができる。例えば、食事に関する項目を追加することで、美容に栄養バランスを絡めた変化や自己管理を記録することができたり、背景ＢＧの一部に広告を入れることで新しい広告活動ができたりする。また、化粧品会社の端末から赤外線通信でアンケートを送り、それについて返信する機能を追加するなどすれば、気軽にアンケート調査をゲーム感覚で行ってもらうことができる。
【００５０】
また、上述した肌測定機能付き端末装置によってメークの効果を確認することもできる。すなわち、メークをした肌の状態を測定し、該測定結果に基づいてメークによる改善効果（例えばノーメーク状態との比較）を診断することができ、ひいては当該化粧品の評価を実施することも可能である。
【図面の簡単な説明】
【００５１】
【図１】本発明の一実施形態における肌測定機能付き端末装置の斜視図である。
【図２】本実施形態における肌測定機能付き端末装置の概略構成図である。
【図３】肌診断や化粧に関するアドバイスを提供するためのアドバイスシステムの概略システム構成図である。
【図４】肌測定機能付き端末装置における画面の具体的変化例を示す図である。
【図５】肌測定機能付き端末装置における画面の具体的変化例を示す図である。
【図６】肌測定機能付き端末装置における画面の具体的変化例を示す図である。
【図７】肌測定機能付き端末装置における画面の具体的変化例を示す図である。
【図８】肌測定機能付き端末装置における画面の具体的変化例を示す図である。
【図９】肌測定機能付き端末装置における画面の具体的変化例を示す図である。
【図１０】肌測定機能付き端末装置における画面の具体的変化例を示す図である。
【図１１】肌測定機能付き端末装置における画面の具体的変化例を示す図である。
【符号の説明】
【００５２】
１…肌測定機能付き端末装置、１２…入力キー（入力装置）、１３…ディスプレイ（表示装置）、１８…圧力センサ（肌測定装置）、１９…ＰＨ測定器（肌測定装置）、２０…保湿力センサ（肌測定装置）、２１…制御装置、２２…送受信部（通信装置）、２３…データベース（メモリ装置）、２５…外部メモリ（メモリ装置）、２７…赤外線通信装置（通信装置）、ＢＧ…背景、ＦＭ…顔文字、Ｖ…キャラクタ（仮想生命体）
【図１】
2009078070.tif 000003
【図２】
2009078070.tif 000004
【図３】
2009078070.tif 000005
【図４】
2009078070.tif 000006
【図５】
2009078070.tif 000007
【図６】
2009078070.tif 000008
【図７】
2009078070.tif 000009
【図８】
2009078070.tif 000010
【図９】
2009078070.tif 000011
【図１０】
2009078070.tif 000012
【図１１】
2009078070.tif 000013